(57)【要約】【課題】ユーザが慣れ親しんだスケジュール管理プログラムと画像管理プログラムとを連携させ、画像閲覧や画像管理を容易にする画像管理プログラム及び、画像管理方法を提供する。【解決手段】スケジュール管理プログラムは、モニタ１６に画面ＧＵＩ２を表示する。画面ＧＵＩ２は、第１〜第ｎ表示範囲ＱＡＬ（１）〜（ｎ）を有する。第ｘ表示範囲ＱＡＬ（ｘ）には、イベント名を表す第ｘイベントデータＩＶＤ（ｘ）と当該イベントが行われる日時を表す第ｘイベント日時データＩＤＤ（ｘ）とを含む第ｘスケジュールファイルＳＤＦ（ｘ）とが表示される。本発明の画像管理プログラムは、第ｘイベント日時データＩＤＤ（ｘ）と同一の日時に撮影された第ｙサムネイル画像ファイルＳＮＤ（ｙ）を、第ｘ表示範囲ＱＡＬ（ｘ）に表示するため、第ｘイベントデータＩＶＤ（ｘ）とともに当該イベントに関連する画像をユーザに閲覧させることができる。【選択図】図４
2008033405.tif 000002
【特許請求の範囲】
【請求項１】
イベントを示すイベントデータと前記イベントが行われる日時を示すイベント日時データとを含むスケジュールファイルを記憶手段から読み込み、前記スケジュールファイルに含まれるデータを表示手段に表示するスケジュール管理手段と、
前記表示手段に画像を表示するための撮影画像データと前記撮影画像データの撮影日時を示す撮影日時データとを含む撮影画像ファイルを前記記憶手段から読み込み、前記撮影画像データに基づく撮影画像を前記表示手段に表示する画像閲覧手段とを連携させる画像管理プログラムにおいて、
コンピュータに、
前記画像閲覧手段によって読まれる前記撮影日時データと同一の日時を示す前記イベント日時データを前記記憶手段から探す第１手順と、
当該イベント日時データが前記第１手順で得られた場合には、当該撮影日時データに応じる前記撮影画像データが記憶されるアドレスを、当該イベント日時データを含む前記スケジュールファイルに書き込む第２手順と、
前記スケジュール管理手段を介して、前記イベントデータ及び前記イベント日時データと共に、前記撮影画像データに基づく前記撮影画像を前記表示手段に表示させる第３手順とを実行させることを特徴とする画像管理プログラム。
【請求項２】
前記スケジュール管理手段によって選択された前記撮影画像データと同一の前記スケジュールファイルに含まれる前記イベント日時データを前記記憶手段から読む第４手順と、
前記第４手順で読み取った前記イベント日時データと同一の日時を示す前記撮影日時データを前記記憶手段から探す第５手順と、
前記撮影日時データが前記第５手順で得られた場合は、前記画像閲覧手段を介して、当該撮影日時データに応ずる前記撮影画像データに基づく前記撮影画像を前記表示手段に表示する第６手順とを実行させることを特徴とする請求項１記載の画像管理プログラム。
【請求項３】
前記イベント日時データと同一の日時を示す前記撮影日時データに応じる前記撮影画像データを、当該イベント日時データを含む前記スケジュールファイルに加える第７手順を実行させることを特徴とする請求項１または２記載の画像管理プログラム。
【請求項４】
イベントを示すイベントデータと前記イベントが行われる日時を示すイベント日時データとを含むスケジュールファイルを記憶手段から読み込み、前記スケジュールファイルに含まれるデータを表示手段に表示するスケジュール管理手段と、
前記表示手段に画像を表示するための撮影画像データと前記撮影画像データの撮影日時を示す撮影日時データとを含む撮影画像ファイルを前記記憶手段から読み込み、前記撮影画像データに基づく撮影画像を前記表示手段に表示する画像閲覧手段とを連携させる画像管理プログラムにおいて、
コンピュータに、
前記画像閲覧手段によって読まれる前記撮影日時データと同一の日時を示す前記イベント日時データを前記記憶手段から探す第１手順と、
当該イベント日時データが前記第１手順で得られた場合には、当該イベント日時データに応ずる前記イベントデータをコメントデータとして、前記撮影日時データを含む前記撮影画像ファイルに加え、前記画像閲覧手段を介して、前記コメントデータを前記表示手段に表示させる第２手順を実行させることを特徴とする画像管理プログラム。
【請求項５】
イベントを示すイベントデータと前記イベントが行われる日時を示すイベント日時データとを含むスケジュールファイルを記憶手段から読み込み、前記スケジュールファイルに含まれるデータを表示手段に表示するスケジュール管理手段と、
前記表示手段に画像を表示するための撮影画像データと前記撮影画像データの撮影日時を示す撮影日時データとを含む撮影画像ファイルを前記記憶手段から読み込み、前記撮影画像データに基づく撮影画像を前記表示手段に表示する画像閲覧手段とを連携させる画像管理方法において、
前記画像閲覧手段によって読まれる前記撮影日時データと同一の日時を示す前記イベント日時データを前記記憶手段から探す第１工程と、
当該イベント日時データが前記第１工程で得られた場合には、当該撮影日時データに応じる前記撮影画像データが記憶されるアドレスを、当該イベント日時データを含む前記スケジュールファイルに書き込む第２工程と、
前記スケジュール管理手段を介して、前記イベントデータ及び前記イベント日時データと共に、前記撮影画像データに基づく前記撮影画像を前記表示手段に表示させる第３工程とを有することを特徴とする画像管理方法。
【請求項６】
前記スケジュール管理手段によって選択された前記撮影画像データと同一の前記スケジュールファイルに含まれる前記イベント日時データを前記記憶手段から読む第４工程と、
前記第４工程で読み取った前記イベント日時データと同一の日時を示す前記撮影日時データを前記記憶手段から探す第５工程と、
前記撮影日時データが前記第５工程で得られた場合は、前記画像閲覧手段を介して、当該撮影日時データに応ずる前記撮影画像データに基づく前記撮影画像を前記表示手段に表示する第６工程とを有することを特徴とする請求項５記載の画像管理方法。
【請求項７】
前記イベント日時データと同一の日時を示す前記撮影日時データに応じる前記撮影画像データを、当該イベント日時データを含む前記スケジュールファイルに加える第７工程を有することを特徴とする請求項５または６記載の画像管理方法。
【請求項８】
イベントを示すイベントデータと前記イベントが行われる日時を示すイベント日時データとを含むスケジュールファイルを記憶手段から読み込み、前記スケジュールファイルに含まれるデータを表示手段に表示するスケジュール管理手段と、
前記表示手段に画像を表示するための撮影画像データと前記撮影画像データの撮影日時を示す撮影日時データとを含む撮影画像ファイルを前記記憶手段から読み込み、前記撮影画像データに基づく撮影画像を前記表示手段に表示する画像閲覧手段とを連携させる画像管理方法において、
前記画像閲覧手段によって読まれる前記撮影日時データと同一の日時を示す前記イベント日時データを前記記憶手段から探す第１工程と、
当該イベント日時データが前記第１工程で得られた場合には、当該イベント日時データに応ずる前記イベントデータをコメントデータとして、前記撮影日時データを含む前記撮影画像ファイルに加え、前記画像閲覧手段を介して、前記コメントデータを前記表示手段に表示させる第２工程とを有することを特徴とする画像管理方法。
【発明の詳細な説明】
【技術分野】
【０００１】
本発明は、スケジュール管理プログラムと画像閲覧プログラムとを連携させる画像管理プログラム、及び画像管理方法に関する。
【背景技術】
【０００２】
被写体画像を光電変換して画像信号を生成し、これをデジタルの撮影画像データに変換して記録するデジタルカメラが知られている。デジタルカメラは、撮影画像データを含む撮影画像ファイルをメモリカード等の記憶媒体に記憶する。この撮影画像ファイルには、撮影画像データとともに、例えば、撮影日時を表す撮影日時データと、撮影画像データのサイズを縮小したサムネイル画像データ等が含まれる。
【０００３】
デジタルカメラで作成された撮影画像ファイルの閲覧及び管理には、パーソナルコンピュータ（以下、ＰＣと称する）にインストールされる画像閲覧プログラムが用いられる。この画像閲覧プログラムは、ＰＣとデジタルカメラとをＵＳＢ等のインターフェースで接続した状態で起動され、デジタルカメラから撮影画像ファイルを読み込み、ＰＣのＨＤＤ等に読み込んだ撮影画像ファイルを記憶する。撮影画像ファイルを閲覧する際には、ＨＤＤ内の各撮影画像ファイルからサムネイル画像データを読み出し、複数のサムネイル画像データを一覧表示させる。また、一覧表示されたサムネイル画像データの中からユーザが選択を行うと、選択されたサムネイル画像データに対応する撮影画像データがＨＤＤから読み出されて表示される。
【０００４】
上記画像閲覧プログラムの中には、撮影画像ファイルを閲覧及び管理する機能の他に、スケジュール管理機能を備え、入力された各種イベントなどのスケジュールと撮影画像ファイルとを連携できるようにしたものである（例えば、特許文献１）。この画像閲覧プログラムでは、ユーザがスケジュール管理機能を用いて各種イベントなどの内容と日付とを予め入力しておく。そして、デジタルカメラから撮影画像ファイルを取り込むときに、イベントの日付と撮影画像ファイルの撮影日とが照合され、スケジュール表示欄には、イベント名と共に、イベントの日付と同じ日に撮影されたサムネイル画像データが表示される。
【特許文献１】特開２００５−２２８０８６号公報
【発明の開示】
【発明が解決しようとする課題】
【０００５】
特許文献１記載の画像閲覧プログラムは、イベントと撮影画像ファイルとを関連付ける際に、イベントの日付と撮影日のみを照合している。そのため、同日に複数のイベントがある場合、或いは、同日に撮影された撮影画像が複数ある場合には、適切な関連付けを行うことができないという問題があった。
【０００６】
ところで、スケジュール管理ツールとして、多種の専用スケジュール管理プログラムが提供されている。上述した特許文献１記載の画像閲覧プログラムは、入力済みのイベントと撮影画像ファイルとの関連付けを自動的に行う点で便利であるものの、機能的には専用のスケジュール管理プログラムには及ばない。そのため、画像閲覧プログラムとは別に、専用のスケジュール管理プログラムを利用するユーザが多い。
【０００７】
しかし、専用のスケジュール管理プログラムと、特許文献１記載の画像閲覧プログラムとを併用する場合、ユーザは２つのプログラムに予定を入力しなければならないため、操作が煩わしくなるという問題があった。また、画像閲覧プログラムのスケジュール管理機能を強化し、専用スケジュール管理プログラムから画像閲覧プログラムへの移行を促すことも考えられるが、日常的に使用されるスケジュール管理プログラムは、操作になれ親しんだもののほうが使い勝手がよいため、機能の強化だけで他のプログラムへの移行を促すことは難しい。
【０００８】
本発明は、上記問題を鑑み、ユーザが慣れ親しんだスケジュール管理プログラムと画像管理プログラムとを連携させ、画像閲覧や画像管理を容易にする画像管理プログラム及び、画像管理方法を提供する。
【課題を解決するための手段】
【０００９】
本発明の第１の画像管理プログラムは、イベントを示すイベントデータと前記イベントが行われる日時を示すイベント日時データとを含むスケジュールファイルを記憶手段から読み込み、前記スケジュールファイルに含まれるデータを表示手段に表示するスケジュール管理手段と、前記表示手段に画像を表示するための撮影画像データと前記撮影画像データの撮影日時を示す撮影日時データとを含む撮影画像ファイルを前記記憶手段から読み込み、前記撮影画像データに基づく撮影画像を前記表示手段に表示する画像閲覧手段とを連携させ、コンピュータに、前記画像閲覧手段によって読まれる前記撮影日時データと同一の日時を示す前記イベント日時データを前記記憶手段から探す第１手順と、当該イベント日時データが前記第１手順で得られた場合には、当該撮影日時データに応じる前記撮影画像データが記憶されるアドレスを、当該イベント日時データを含む前記スケジュールファイルに書き込む第２手順と、前記スケジュール管理手段を介して、前記イベントデータ及び前記イベント日時データと共に、前記撮影画像データに基づく前記撮影画像を前記表示手段に表示させる第３手順とを実行させることを特徴とする。
【００１０】
また、前記スケジュール管理手段によって選択された前記撮影画像データと同一の前記スケジュールファイルに含まれる前記イベント日時データを前記記憶手段から読む第４手順と、前記第４手順で読み取った前記イベント日時データと同一の日時を示す前記撮影日時データを前記記憶手段から探す第５手順と、前記撮影日時データが前記第５手順で得られた場合は、前記画像閲覧手段を介して、当該撮影日時データに応ずる前記撮影画像データに基づく前記撮影画像を前記表示手段に表示する第６手順とを実行させることが好ましい。
【００１１】
前記イベント日時データと同一の日時を示す前記撮影日時データに応じる前記撮影画像データを、当該イベント日時データを含む前記スケジュールファイルに加える第７手順を実行させることが好ましい。
【００１２】
本発明の第２の画像管理プログラムは、コンピュータに、前記画像閲覧手段によって読まれる前記撮影日時データと同一の日時を示す前記イベント日時データを前記記憶手段から探す第１手順と、当該イベント日時データが前記第１手順で得られた場合には、当該イベント日時データに応ずる前記イベントデータをコメントデータとして、前記撮影日時データを含む前記撮影画像ファイルに加え、前記画像閲覧手段を介して、前記コメントデータを前記表示手段に表示させる第２手順を実行させることを特徴とする画像管理プログラム。
【００１３】
本発明の第１の画像管理方法は、前記画像閲覧手段によって読まれる前記撮影日時データと同一の日時を示す前記イベント日時データを前記記憶手段から探す第１工程と、当該イベント日時データが前記第１工程で得られた場合には、当該撮影日時データに応じる前記撮影画像データが記憶されるアドレスを、当該イベント日時データを含む前記スケジュールファイルに書き込む第２工程と、前記スケジュール管理手段を介して、前記イベントデータ及び前記イベント日時データと共に、前記撮影画像データに基づく前記撮影画像を前記表示手段に表示させる第３工程とを有することを特徴とする。
【００１４】
前記スケジュール管理手段によって選択された前記撮影画像データと同一の前記スケジュールファイルに含まれる前記イベント日時データを前記記憶手段から読む第４工程と、前記第４工程で読み取った前記イベント日時データと同一の日時を示す前記撮影日時データを前記記憶手段から探す第５工程と、前記撮影日時データが前記第５工程で得られた場合は、前記画像閲覧手段を介して、当該撮影日時データに応ずる前記撮影画像データを前記表示手段に表示する第６工程とを有することが好ましい。
【００１５】
前記イベント日時データと同一の日時を示す前記撮影日時データに応じる前記撮影画像データを、当該イベント日時データを含む前記スケジュールファイルに加える第７工程を有することが好ましい。
【００１６】
本発明の第２の画像管理方法は、前記画像閲覧手段によって読まれる前記撮影日時データと同一の日時を示す前記イベント日時データを前記記憶手段から探す第１工程と、当該イベント日時データが前記第１工程で得られた場合には、当該イベント日時データに応ずる前記イベントデータをコメントデータとして、前記撮影日時データを含む前記撮影画像ファイルに加え、前記画像閲覧手段を介して、前記コメントデータを前記表示手段に表示させる第２工程とを有することを特徴とする。
【発明の効果】
【００１７】
本発明の第１の画像管理プログラムによれば、コンピュータに、前記画像閲覧手段によって読まれる前記撮影日時データと同一の日時を示す前記イベント日時データを前記記憶手段から探す第１手順と、当該イベント日時データが前記第１手順で得られた場合には、当該撮影日時データに応じる前記撮影画像データが記憶されるアドレスを、当該イベント日時データを含む前記スケジュールファイルに書き込む第２手順と、前記スケジュール管理手段を介して、前記イベントデータ及び前記イベント日時データと共に、前記撮影画像データに基づく前記撮影画像を前記表示手段に表示させる第３手順とを実行させるため、スケジュール管理手段が扱うイベントが行われる日時と、画像閲覧手段が扱う撮影日時とを関連付け、スケジュール管理手段において、イベントの名称とともに、そのイベントが行われた日時に撮影された撮影画像を表示することが可能になり、結果として、ユーザに過去の出来事の記憶を鮮明に想起させるような画像の閲覧を可能にする。
【００１８】
また、本発明の第２の画像管理プログラムによれば、コンピュータに、前記画像閲覧手段によって読まれる前記撮影日時データと同一の日時を示す前記イベント日時データを前記記憶手段から探す第１手順と、当該イベント日時データが前記第１手順で得られた場合には、当該イベント日時データに応ずる前記イベントデータをコメントデータとして、前記撮影日時データを含む前記撮影画像ファイルに加え、前記画像閲覧手段を介して、前記コメントデータを前記表示手段に表示させる第２手順を実行させるため、スケジュール管理手段が扱うイベントが行われる日時と、画像閲覧手段が扱う撮影日時とを関連付け、画像閲覧手段において、撮影画像と共に、その撮影画像が撮影された日時に行われたイベントの名称を表示することが可能になり、結果として、ユーザに過去の出来事の記憶を鮮明に想起させるような画像の閲覧を可能にする。
【発明を実施するための最良の形態】
【００１９】
以下に、本発明の実施態様について詳細に説明する。ただし、本発明はここに挙げる実施態様に限定されるものではない。
【００２０】
図１及び図２に示すように、パーソナルコンピュータ（ＰＣ）２は、各種演算処理を行うＣＰＵ３と、オペレーティングシステム（ＯＳ）や本発明の画像管理プログラムＡ１等が記憶されるＨＤＤ４と、ＰＣ２の起動プログラムが記憶されたＲＯＭ５と、ＨＤＤ４からＯＳや画像管理プログラムＡ１がロードされるＲＡＭ６等を備えており、各部はデータバス７を介して接続されている。画像閲覧プログラムＧＰ１及びスケジュール管理プログラムＳＰ１は、ＣＤ−ＲＯＭ９等の記憶媒体に記憶されて供給され、ＣＤ−ＲＯＭドライブ１０で読み取られてＰＣ２にインストールされる。
【００２１】
また、本発明の画像管理プログラムＡ１は、ＣＤ−ＲＯＭ９等の記憶媒体に記憶されて供給され、ＣＤ−ＲＯＭドライブ１０で読み取られ、画像閲覧プログラムＧＰ１の第１プラグインＢ１及びスケジュール管理プログラムＳＰ１の第２プラグインＢ２として、ＰＣ２にインストールされる。第１プラグインＢ１及び第２プラグインＢ２は、画像閲覧プログラムＧＰ１とスケジュール管理プログラムＳＰ１とに連携機能を追加する。
【００２２】
画像管理プログラムＡ１の操作は、データバス７に接続されたキーボードやマウスなどの操作部１４によって行われる。この操作部１４は、後述する連携処理、再選択処理や関連付け処理の開始信号を画像管理プログラムＡ１に通知する。また、ＣＰＵ３は、各プログラムに基づいて、表示処理回路１５を介してモニタ１６に所定の画面を表示する。デジタルカメラ１８等からの撮影画像ファイルは、ＵＳＢコネクタ等のような、各種外部機器が接続される入出力Ｉ／Ｆ１９を介して、ＰＣ２に送ることができる。ＰＣ２に送られた撮影画像ファイルは、ＨＤＤ４内の所定の範囲に記憶される。
【００２３】
ＨＤＤ４には、スケジュールフォルダＤＦＬ１を格納するスケジュールデータベースＤＢ１と、撮影画像フォルダＳＦＬ１を格納する撮影画像データベースＤＢ２とが構築される。スケジュールデータベースＤＢ１はスケジュール管理プログラムＳＰ１のインストール時にＨＤＤ４の所定の範囲に構築される。また、撮影画像データベースＤＢ２は画像閲覧プログラムＧＰ１のインストール時にＨＤＤ４の所定の範囲に構築される。
【００２４】
（画像閲覧プログラム）
画像閲覧プログラムＧＰ１は、画像取込処理部３１と撮影画像ファイル管理部３２と表示画面処理部３３とを有する。画像取込処理部３１は、入出力Ｉ／Ｆ１９を介して、デジタルカメラ１８に格納された撮影画像ファイルを読み込み、読み込んだ撮影画像ファイルを撮影画像データベースＤＢ２内の撮影画像フォルダＳＦＬ１に格納する。撮影画像ファイル管理部３２は、撮影画像フォルダＳＦＬ１に格納される各データの読み込みや、書き替えを行う。
【００２５】
図３のように、表示画面処理部３３は、撮影画像ファイル管理部３２の制御の下、モニタ１６へ画像閲覧用画面ＧＵＩ１並びに、撮影画像データベースＤＢ２に記憶された各データの表示を行う。画像閲覧用画面ＧＵＩ１は、第１表示範囲ＰＡＬ（１）〜第ｎ表示範囲（ｎ）を有する。第１〜第ｎ表示範囲ＰＡＬ（１）〜（ｎ）は、撮影画像データベースＤＢ２に記憶された第１〜第ｎ撮影画像ファイルＳＧＦ（１）〜（ｎ）に含まれる各データを表示する。撮影画像データベースＤＢ２に記憶された各データの詳細は後述する。
【００２６】
（スケジュール管理プログラム）
スケジュール管理プログラムＳＰ１は、データ入力処理部４１とスケジュールファイル管理部４２と表示画面処理部４３とを有する。データ入力処理部４１は、操作部１４からの操作信号に応じて、スケジュールフォルダＤＦＬ１からスケジュールファイルを選択し、当該スケジュールファイルに含まれるイベントデータやイベント日時データのデータ入力処理を行う。スケジュールファイル管理部４２は、スケジュールフォルダＤＦＬ１に格納される各データ等の読み込みや、書き替えを行う。
【００２７】
また、図４のように、表示画面処理部４３は、スケジュールファイル管理部４２の制御の下、モニタ１６へスケジュール管理用画面ＧＵＩ２並びに、スケジュールデータベースＤＢ１に記憶された各データの表示を行う。スケジュール管理用画面ＧＵＩ２は、第１表示範囲ＱＡＬ（１）〜第ｎ表示範囲ＱＡＬ（ｍ）を有する。第１表示範囲ＱＡＬ（１）〜第ｎ表示範囲ＱＡＬ（ｍ）は、スケジュールデータベースＤＢ１に記憶された第１スケジュールファイルＳＤＦ（１）〜第ｍスケジュールファイルＳＤＦ（ｍ）に含まれる各データを表示する。スケジュールデータベースＤＢ１に記憶された各データの詳細は後述する。
【００２８】
なお、画像閲覧用画面ＧＵＩ１やスケジュール管理用画面ＧＵＩ２には、連携処理、再選択処理や関連付け処理を開始するための操作ボタンが表示されている。これらの操作ボタンが操作されると、操作部１４は、操作された操作ボタンに応じて、各処理の操作信号を出力する。
【００２９】
（撮影画像フォルダ）
図５のように、撮影画像データベースＤＢ２には、撮影画像フォルダＳＦＬ１が生成される。撮影画像フォルダＳＦＬ１には、撮像装置で撮像された撮像画像データとその各種情報データとを含む撮影画像ファイルが格納され、それぞれの撮影画像ファイルは、所定のフォーマットに従って、第１撮影画像ファイルＳＧＦ（１）、第２撮影画像ファイルＳＧＦ（２）、第３撮影画像ファイルＳＧＦ（３）、・・・、第（ｎ−１）撮影画像ファイルＳＧＦ（ｎ−１）、第ｎ撮影画像ファイルＳＧＦ（ｎ）として記憶される。撮影画像ファイルを記憶するフォーマットとして、例えば、電子情報技術産業協会から発表された規格であるＥｘｉｆ（登録商標）フォーマットを用いても良い。撮像画像ファイルの形式としては、Ｅｘｉｆ（登録商標）フォーマットに限られず、その他の公知のフォーマットを用いても良い。
【００３０】
次に、第１〜第ｎ撮影画像ファイルＳＧＦ（１）〜（ｎ）の詳細について、第ｙ撮影画像ファイルＳＧＦ（ｙ）を用いて説明する。第ｙ撮影画像ファイルＳＧＦ（ｙ）は、第ｙ撮影画像データＳＧＤ（ｙ）と第ｙサムネイル画像データＳＮＤ（ｙ）と第ｙ撮影日時データＳＤＤ（ｙ）と第ｙコメントデータＣＭＤ（ｙ）と第ｙリンクデータＬＫＤ（ｙ）とを含む。
【００３１】
第ｙ撮影画像データＳＧＤ（ｙ）は、デジタルカメラ１８などの撮像装置により生成する画像データである。第ｙ撮影画像データＳＧＤ（ｙ）の形式としては、このＪＰＥＧ形式の他に、撮像画像データとこのデータのファイル内の格納位置などを示す情報を記録するＴａｇとからなるＴｉｆｆ（Ｔａｇｅｄ  Ｉｍａｇｅ  Ｆｉｌｅ  Ｆｏｒｍａｔ）形式など公知のデータ形式を使用してもよい。
【００３２】
第ｙサムネイル画像データＳＮＤ（ｙ）は、インデックス表示等、第ｙ撮影画像データＳＧＤ（ｙ）をモニタ１６に簡易的に表示する場合に用いられる画像データである。第ｙ撮影日時データＳＤＤ（ｙ）は、第ｙ撮影画像データＳＧＤ（ｙ）が作成された年月日や時分秒などを表すデータである。第ｙサムネイル画像データＳＮＤ（ｙ）は、デジタルカメラ等の撮像装置或いは画像管理プログラムＧＰ１等によって、第ｙ撮影画像データＳＧＤ（ｙ）から生成される。また、第ｙ撮影日時データＳＤＤ（ｙ）は、撮像装置によって、第ｙ撮影画像データＳＧＤ（ｙ）とともに生成される。
【００３３】
第ｙコメントデータＣＭＤ（ｙ）とは、第ｙ撮影日時データＳＤＤ（ｙ）に行われるイベントの名称を表すデータを含む。第ｙリンクデータＬＫＤ（ｙ）は、第ｙ撮影画像データＳＧＤ（ｙ）や第ｙサムネイル画像データＳＮＤ（ｙ）が記憶されるアドレスを表す。この第ｙコメントデータＣＭＤ（ｙ））と第ｙリンクデータＬＫＤ（ｙ）とは、画像閲覧プログラムＧＰ１の撮影画像ファイル管理部３２によって読み書きされる。
【００３４】
（スケジュールフォルダ）
図６のように、スケジュールデータベースＤＢ１には、スケジュールフォルダＤＦＬ１が設けられる。スケジュールフォルダＤＦＬ１には、スケジュールのイベント名などを含むスケジュールファイルが格納され、それぞれのスケジュールファイルは、所定のフォーマットに従って、第１スケジュールファイルＳＤＦ（１）、第２スケジュールファイルＳＤＦ（２）、第３スケジュールファイルＳＤＦ（３）、・・・、第（ｍ−１）スケジュールファイルＳＤＦ（ｍ−１）、第ｍスケジュールファイルＳＤＦ（ｍ）として記憶される。
【００３５】
次に、第１〜第ｍスケジュールファイルＳＤＦ（１）〜（ｍ）の詳細について、第ｘスケジュールファイルＳＤＦ（ｘ）を用いて説明する。第ｘスケジュールファイルＳＤＦ（ｘ）は、第ｘイベントデータＩＶＤ（ｘ）と、第ｘイベント日時データＩＤＤ（ｘ）と第ｘ写画像データＣＧＤ（ｘ）と第ｘ写サムネイルデータＣＳＤ（ｘ）と第ｘリンクパスデータＬＰＤ（ｘ）とを含む。
【００３６】
第ｘイベントデータＩＶＤ（ｘ）は、行事や行動の名称を表すデータである。第ｘイベント日時データＩＤＤ（ｘ）は、第ｘイベントデータＩＶＤ（ｘ）に示される行事や行動が行われる日時を表すデータである。第ｘイベントデータＩＶＤ（ｘ）や第ｘイベント日時データＩＤＤ（ｘ）は、スケジュール管理プログラムＳＰ１のデータ入力処理部４１によって読み書きされる。
【００３７】
第ｘ写画像データＣＧＤ（ｘ）は、所定の撮影画像データＳＧＤの複製データである。第ｘ写サムネイルデータＣＳＤ（ｘ）は所定のサムネイル画像データＳＮＤの複製データであり、第ｘリンクパスデータＬＰＤ（ｘ）は所定のリンクデータＬＫＤの複製データである。第ｘ写画像データＣＧＤ（ｘ）、第ｘ写サムネイルデータＣＳＤ（ｘ）及び第ｘリンクパスデータＬＰＤ（ｘ）は、スケジュール管理プログラムＳＰ１のスケジュールファイル管理部４２によって読み書きされる。
【００３８】
第ｙ撮影日時データＳＤＤ（ｙ）及び、第ｘイベント日時データＩＤＤ（ｘ）は、年月日や時分秒を表すデータを含む。また、年月日や時分秒のほか、曜日、西暦などの時を表す単位を用いてもよい。また、第ｘイベント日時データＩＤＤ（ｘ）は、イベントが開始する時間、イベントが終了する時間、或いは、イベントが開催されている期間、などいずれの形態であってもよい。
【００３９】
（画像管理プログラム）
画像管理プログラムＡ１は、ＰＣ２において、連携処理、再選択処理や、関連付け処理を行う。連携処理は、スケジュールファイルＳＤＦと、当該スケジュールファイルＳＤＦが示すイベントが行われた日時に撮影された撮影画像ファイルＳＧＦとを連携する。この連携処理により、スケジュール管理プログラムＳＰ１は、スケジュールファイルＳＤＦとともに、当該スケジュールファイルＳＤＦに連携する撮影画像ファイルＳＧＦのデータを表示することができる。再選択処理では、連携処理で連携した撮影画像ファイルＳＧＦと同一の日時に撮影された撮影画像ファイルＳＧＦを探し、新たに選択された撮影画像ファイルＳＧＦを、元の撮影画像ファイルＳＧＦと連携していたスケジュールファイルＳＤＦに連携させる。この再選択処理により、イベントが行われた日時に撮影された撮影画像ファイルＳＧＦが複数ある場合に、スケジュールファイルＳＤＦに最も適切な撮影画像ファイルＳＧＦを連携することができる。関連付け処理では、スケジュールファイルＳＤＦが示すイベントが行われた日時に撮影された撮影画像ファイルＳＧＦの各データをスケジュールファイルＳＤＦに複写する。この関連付け処理により、取り込んだ画像データを撮影画像ファイルＳＧＦとスケジュールファイルＳＤＦとに同時に取り込むことができる。
【００４０】
図２のように、画像管理プログラムＡ１は、第１プラグインＢ１と第２プラグインＢ２とを有する。第１プラグインＢ１は、第１データ通信部５１と第１検索処理部５２と第１検出部５３とを有する。第２プラグインＢ２は、第２データ通信部６１と第２検索処理部６２と第２検出部６３とを有する。第１データ通信部５１と第２データ通信部６１とは、第１プラグインＢ１と第２プラグインＢ２との間における各データの受け渡しを行う。第１検出部５３及び第２検出部６３は、操作部１４からの連携処理、再選択処理や関連付け処理の開始信号を受信する。第１検出部５３又は第２検出部６３が、連携処理、再選択処理や関連付け処理のうちいずれかの処理の開始信号を受信すると画像管理プログラムＡ１は、当該処理を開始する。
【００４１】
第１検索処理部５２は、スケジュールファイル管理部４２との間で各データの受け渡しのほか、スケジュールファイル管理部４２を介して、所定の撮影日時データＳＤＤと同一の日時を表すイベント日時データＩＤＤをスケジュールデータベースＤＢ１から検索する。また、第１検索処理部５２は、スケジュールファイル管理部４２を介して、スケジュールファイルＳＤＦの各データの表示の更新命令を表示画面処理部４３に行う。更に、第１検索処理部５２は、スケジュール管理プログラムＳＰ１に起動コマンドを送り、スケジュール管理プログラムＳＰ１を起動することができる。
【００４２】
第２検索処理部６２は、撮影画像ファイル管理部３２との間で各データの受け渡しのほか、撮影画像ファイル管理部３２を介して、所定のイベント日時データＩＤＤと同一の日時を表す撮影日時データＳＤＤを撮影画像データベースＤＢ２から検索する。また、第２検索処理部６２は、撮影画像ファイル管理部３２を介して、撮影画像ファイルＳＧＦの各データの表示の更新命令を表示画面処理部３３に行う。更に、第２検索処理部６２は、画像閲覧プログラムＧＰ１に起動コマンドを送り、画像閲覧プログラムＧＰ１を起動することができる。
【００４３】
次に、連携処理について、第ｙ撮影画像ファイルＳＧＦ（ｙ）がＰＣ２に取り込まれる場合を例に挙げて、説明する。
【００４４】
図１及び図２において、ＰＣ２を起動させた後、ＰＣ２上の画像管理プログラムＡ１及び画像閲覧プログラムＧＰ１を起動する。ＵＳＢケーブル等を用いて、入出力Ｉ／Ｆ１９とデジタルカメラ１８とを接続する。次に、画像取込処理部３１がデジタルカメラ１８に格納され、第ｙ撮影画像データＳＧＤ（ｙ）を含む第ｙ撮影画像ファイルＳＧＦ（ｙ）を撮影画像データベースＤＢ２へ送る。撮影画像ファイル管理部３２は、第ｙ撮影画像データＳＧＤ（ｙ）が記憶されるアドレスを、第ｙリンクデータＬＫＤ（ｙ）に書き込む。
【００４５】
撮影画像ファイル管理部３２の制御の下、表示画面処理部３３は、モニタ１６に画像閲覧用画面ＧＵＩ１とともに、第ｙ撮影画像ファイルＳＧＦ（ｙ）に含まれる第ｙ撮影日時データＳＤＤ（ｙ）と、第ｙサムネイル画像データＳＮＤ（ｙ）とを第ｙ表示範囲ＰＡＬ（ｙ）に表示する（図３）。
【００４６】
撮影画像ファイル管理部３２によって読み取られた第ｙ撮影日時データＳＤＤ（ｙ）は、第２データ通信部６１、第１データ通信部５１を介して、第１検索処理部５２へ送られ、第１検索処理部５２は第ｙ撮影日時データＳＤＤ（ｙ）を受け取る。画像管理プログラムＡ１が操作部１４からの連携処理の開始信号を受信後、画像管理プログラムＡ１は、図７のような連携処理を行う。
【００４７】
第１に、第１検索処理部５２は、スケジュール管理プログラムＳＰ１に起動コマンドを発行する。これにより、スケジュール管理プログラムＳＰ１が起動する。
【００４８】
第２に、第ｙ撮影日時データＳＤＤ（ｙ）と同一の日時を示すイベント日時データＩＤＤが、スケジュールデータベースＤＢ１にあるか否かを判定する。そして、第１検索処理部５２が、第ｙ撮影日時データＳＤＤ（ｙ）と同一の日時を示すイベント日時データＩＤＤがスケジュールデータベースＤＢ１にないと判定した場合には、連携処理が終了する。一方、第１検索処理部５２が、第ｙ撮影日時データＳＤＤ（ｙ）と同一の日時を示す第ｘイベント日時データＩＤＤ（ｘ）がスケジュールデータベースＤＢ１にあると判定した場合には、第１検索処理部５２が、スケジュールファイル管理部４２を介して、第ｘリンクパスデータＬＰＤ（ｘ）に、第ｙリンクデータＬＫＤ（ｙ）の値を書き込む。
【００４９】
第３に、第１検索処理部５２は、更新命令を表示画面処理部４３に行う。スケジュールファイル管理部４２の制御の下、表示画面処理部４３は、モニタ１６へスケジュール管理用画面ＧＵＩ２を表示する（図４）。スケジュール管理プログラムＳＰ１は、第ｘリンクパスデータＬＰＤ（ｘ）の値を読むことにより、撮影画像データベースＤＢ２に記憶される第ｙサムネイル画像データＳＮＤ（ｙ）を呼び出すことができる。こうして、スケジュール管理用画面ＧＵＩ２内の第ｘ表示範囲ＱＡＬ（ｘ）には、第ｘスケジュールファイルＳＤＦ（ｘ）に含まれる各データ、すなわち、第ｘイベントデータＩＶＤ（ｘ）と第ｘイベント日時データＩＤＤ（ｘ）とともに、第ｙサムネイル画像データＳＮＤ（ｙ）が表示される。以上の手順を経て、連携処理が終了する。
【００５０】
次に、図８を用いて、第ｖ表示範囲ＱＡＬ（ｖ）に表示される第ｗサムネイル画像データＳＮＤ（ｗ）に再選択処理を施す場合を例に挙げながら、再選択処理について説明する。
【００５１】
スケジュール管理プログラムＳＰ１は、モニタ１６にスケジュール管理用画面ＧＵＩ２と共に、スケジュールファイルＳＤＦに含まれる各データ、すなわち、第ｖイベント日時データＩＤＤ（ｖ）、第ｖイベントデータＩＶＤ（ｖ）や第ｗサムネイル画像データＳＮＤ（ｗ）を表示する（図９（Ａ））。なお、第ｗサムネイル画像データＳＮＤは、前述した連携処理によって、第ｖスケジュールファイルＳＤＦ（ｖ）と連携した第ｗ撮影画像ファイルＳＧＦ（ｗ）に含まれるサムネイル画像データＳＮＤである。この連携処理により、第ｖリンクパスデータ（ｖ）には、第ｗリンクデータＬＫＤ（ｗ）の値が書き込まれている。
【００５２】
スケジュール管理プログラムＳＰ１は、操作部１４の操作信号に基づいて、第ｖ表示範囲ＱＡＬ（ｖ）を選択する。スケジュールファイル管理部４２は、第ｖイベント日時データＩＤＤ（ｖ）を読み込む。そして、画像管理プログラムＡ１が操作部１４からの再選択処理の開始信号を受信することにより、画像管理プログラムＡ１が再選択処理を開始する。
【００５３】
再選択処理は次のようにして行われる。先ず、第２検索処理部６２が、画像閲覧プログラムＧＰ１に起動コマンドを発行し、画像閲覧プログラムＧＰ１は起動する。次に、第２検索処理部６２は、撮影画像ファイル管理部３２を介して、第ｖイベント日時データＩＤＤ（ｖ）と同一の日時を示す撮影日時データＳＤＤが、撮影画像データベースＤＢ２にあるか否かを判定する。そして、第２検索処理部６２が、第ｖイベント日時データＩＤＤ（ｖ）と同一の日時を示す撮影日時データＳＤＤが撮影画像データベースＤＢ２にないと判定した場合には、再選択処理が終了する。一方、第２検索処理部６２が、第ｖイベント日時データＩＤＤ（ｖ）と同一の日時を示す撮影日時データＳＤＤが撮影画像データベースＤＢ２にあると判定した場合には、撮影画像ファイル管理部３２は、表示画面処理部３３を介して、撮影日時データＳＤＤに応ずるサムネイル画像データＳＮＤをモニタ１６に表示する。なお、図９（Ｂ）では、第ｖイベント日時データＩＤＤ（ｖ）と同一の日時を示す撮影日時データＳＤＤとして、撮影画像データベースＤＢ２から撮影日時データＳＤＤ（ｚ１）〜（ｚ３）が検出され、これら撮影日時データＳＤＤ（ｚ１）〜（ｚ３）に応じたサムネイル画像データＳＮＤ（ｚ１）〜（ｚ３）がモニタ１６に表示された場合を例示している。
【００５４】
第３に、操作部１４からの操作信号により、サムネイル画像データＳＮＤ（ｚ１）〜（ｚ３）の中から１つの撮影画像ファイルが選択される。第４に、第２検索処理部６２は、撮影画像ファイル管理部３２を介して、第ｖリンクパスデータＬＰＤ（ｖ）の値を撮影画像ファイルＳＧＦ（ｚ２）のリンクデータＬＫＤ（ｚ２）の値に書き換える。
【００５５】
第５に、スケジュールファイル管理部４２の制御の下、表示画面処理部４３は、モニタ１６へスケジュール管理用画面ＧＵＩ２を表示する。スケジュール管理プログラムＳＰ１は、第ｖリンクパスデータＬＰＤ（ｖ）の値を読むことにより、新たに設定されたサムネイル画像データ（ｚ２）を呼び出すことができる。こうして、スケジュール管理用画面ＧＵＩ２内の第ｖ表示範囲ＱＡＬ（ｖ）には、第ｖイベントデータＩＶＤ（ｖ）と第ｖイベント日時データＩＤＤ（ｖ）とともに、新たなサムネイル画像データＳＮＤ（ｚ２）が表示される（図９（Ｃ））。以上の手順を経て、再選択処理が終了する。
【００５６】
次に、第ｐ撮影画像ファイルＳＧＦ（ｐ）に関連付け処理を施す場合を例に挙げて、関連付け処理について説明する。
【００５７】
図１０のように、画像閲覧プログラムＧＰ１は、操作部１４の操作信号に基づいて、第ｐ撮影画像ファイルＳＧＦ（ｐ）を選択する。撮影画像ファイル管理部３２は、第ｐ撮影日時データＳＤＤ（ｐ）を第２検出部６３に通知する。そして、画像管理プログラムＡ１が操作部１４からの関連付け処理の開始信号を受信することにより、画像管理プログラムＡ１が再選択処理を開始する。
【００５８】
第１に、第１検索処理部５２は、スケジュール管理プログラムＳＰ１に起動コマンドを発行する。これにより、スケジュール管理プログラムＳＰ１が起動する。
【００５９】
第２に、第ｐ撮影日時データＳＤＤ（ｐ）と同一の日時を示すイベント日時データＩＤＤが、スケジュールデータベースＤＢ１にあるか否かを判定する。そして、第１検索処理部５２が、第ｐ撮影日時データＳＤＤ（ｐ）と同一の日時を示すイベント日時データＩＤＤがスケジュールデータベースＤＢ１にないと判定した場合には、関連付け処理が終了する。一方、第１検索処理部５２が、第ｐ撮影日時データＳＤＤ（ｐ）と同一の日時を示す第ｑイベント日時データＩＤＤ（ｑ）がスケジュールデータベースＤＢ１にあると判定した場合には、第ｑ写サムネイルデータＣＳＤ（ｑ）に、第ｐサムネイル画像データＳＮＤ（ｐ）の値を書き込む。
【００６０】
第３にスケジュールファイル管理部４２の制御の下、表示画面処理部４３は、モニタ１６へスケジュール管理用画面ＧＵＩ２を表示する（図１１）。スケジュール管理用画面ＧＵＩ２内の第ｑ表示範囲ＱＡＬ（ｑ）には、第ｑスケジュールファイルＳＤＦ（ｑ）に含まれる各データ、すなわち、第ｑイベントデータＩＶＤ（ｑ）と第ｑイベント日時データＩＤＤ（ｑ）とともに、第ｐサムネイル画像データＳＮＤ（ｐ）と同一の画像である第ｑ写サムネイルデータＣＳＤ（ｑ）が表示される。以上の手順を経て、関連付け処理が終了する。
【００６１】
本発明の画像管理プログラムＡ１及び画像管理方法は、スケジュール管理を行うスケジュール管理プログラムＳＰ１が扱うスケジュールが行われる日時と画像データの閲覧を行う画像閲覧プログラムＧＰ１が扱う撮影日時とを関連付ける連携処理を行うため、画像閲覧や画像管理を容易にし、ユーザに過去の出来事の記憶を鮮明に想起させるような画像の閲覧を行うことができる。また、関連付け処理により、同一のデータをそれぞれのプログラムに個別に登録する手間を省くことが可能になり、画像閲覧プログラム及びスケジュール管理プログラムの利便性が向上する。更に、再選択処理により、イベント日時から画像を検索することが可能となるため、同日に複数のイベントがあった場合においても、適切な画像の表示を行うことが可能になる。
【００６２】
なお、上述した連携処理や再選択処理において、２つのデータが同一日時であるとみなす条件は、厳密に同一でなくとも良く、社会通念上同一であれば同一の日時であるとみなすような条件であれば良い。具体的には、分秒が異なっていても日時のみ同一日時であれば同一とみなす、或いは、基準となる時間とのずれが一定の許容時間内である場合には同一日時とみなすとしてもよく、これらは予めユーザの操作により所望の方式に選択されていることが好ましい。また、本実施形態では、同一日時としたが、日時に限らず、同一の時分や同一の分秒を条件にしてもよい。また、「０：００〜１５：００」などのように、基準となる時間を表すデータが一定の期間（以下、基準期間と称する）である場合には、基準期間に包含する期間のみを同一とみなすとしてもよいし、一部が基準期間に含まれる期間を同一とみなすようにしてもよく、これらも予めユーザの操作により所望の条件に選択されていることが好ましい。
【００６３】
本実施形態におけるサムネイル画像データＳＮＤは静止画のケースで説明したが、本発明におけるサムネイル画像データＳＮＤは、静止画に限らず、動画でも良い。また、サムネイル画像データＳＮＤに代えて音声データを用いてもよい。音声データを用いる場合には、撮影画像やサムネイルの代わりに、他の音声データと識別可能な表示内容、例えば、当該音声データのファイル名をモニタ１６に表示すればよい。
【００６４】
上記実施形態では、サムネイル画像データＳＮＤや写サムネイルデータＣＳＤをモニタ１６上に表示したが、サムネイル画像データＳＮＤや写サムネイルデータＣＳＤに代えて、撮影画像データＳＧＤや写画像データＣＧＤを表示しても良い。
【００６５】
次に、本発明の第２実施形態について説明する。なお、前述の実施形態と同様の部材や装置には同一の符号を付し、その詳細の説明は省略する。
【００６６】
本発明の画像管理プログラムＡ１は、図１及び図２のようにＰＣ２のＣＤ−ＲＯＭ９等の記憶媒体に記憶されて供給され、ＣＤ−ＲＯＭドライブ１０で読み取られ、画像閲覧プログラムＧＰ１の第１プラグインＢ１及びスケジュール管理プログラムＳＰ１の第２プラグインB２として、ＰＣ２にインストールされる。画像管理プログラムＡ１の操作は、データバス７に接続されたキーボードやマウスなどの操作部１４によって行われる。この操作部１４は、後述する連携処理、再選択処理や関連付け処理の開始信号を画像管理プログラムＡ１に通知する。
【００６７】
画像管理プログラムＡ１は、ＰＣ２において、イベント名付与処理を行う。イベント名付与処理では、撮影画像ファイルＳＧＦの撮影日時に行われたイベントの名称を、イベントデータＩＤＤとして撮影画像ファイルＳＧＦに付与する。このイベント名付与処理により、画像閲覧プログラムＧＰ１上で、撮影画像ファイルＳＧＦとともに、当該撮影画像ファイルＳＧＦの撮影日時に行われたイベントの名称を表示することができる。
【００６８】
次に、図１２及び図１３を用いて、イベント名付与処理について、第ｉ撮影画像ファイルＳＧＦ（ｉ）がＰＣ２に取り込まれる場合を例に挙げて、説明する。
【００６９】
図１及び図２において、ＰＣ２を起動させた後、ＰＣ２上の画像管理プログラムＡ１及び画像閲覧プログラムＧＰ１を起動し、モニタ１６に画像閲覧用画面ＧＵＩ１が表示される（図１３（Ａ））。ＵＳＢケーブル等を用いて、入出力Ｉ／Ｆ１９とデジタルカメラ１８とを接続する。次に、画像取込処理部３１がデジタルカメラ１８に格納され、第ｉ撮影画像データＳＧＤ（ｉ）を含む第ｉ撮影画像ファイルＳＧＦ（ｉ）を撮影画像データベースＤＢ２へ送る。
【００７０】
撮影画像ファイル管理部３２によって読み取られた第ｉ撮影日時データＳＤＤ（ｉ）は、第１データ通信部５１、第２データ通信部６１を介して、第１検索処理部５２へ送られ、第１検索処理部５２は第ｉ撮影日時データＳＤＤ（ｉ）を受け取る。画像管理プログラムＡ１が操作部１４からの連携処理の開始信号を受信後、画像管理プログラムＡ１は、図１２のようなイベント名付与処理を行う。
【００７１】
第１に、第１検索処理部５２は、スケジュール管理プログラムＳＰ１に起動コマンドを発行する。これにより、スケジュール管理プログラムＳＰ１が起動し、モニタ１６にスケジュール管理用画面ＧＵＩ２が表示される（図１３（Ｂ））。
【００７２】
第２に、第ｉ撮影日時データＳＤＤ（ｉ）と同一の日時を示すイベント日時データＩＤＤが、スケジュールデータベースＤＢ１にあるか否かを判定する。そして、第１検索処理部５２が、第ｉ撮影日時データＳＤＤ（ｉ）と同一の日時を示すイベント日時データＩＤＤがスケジュールデータベースＤＢ１にないと判定した場合には、連携処理が終了する。一方、第１検索処理部５２が、第ｉ撮影日時データＳＤＤ（ｉ）と同一の日時を示す第ｋイベント日時データＩＤＤ（ｋ）がスケジュールデータベースＤＢ１にあると判定した場合には、第ｋイベントデータＩＶＤ（ｋ）の値を第ｉコメントデータＣＭＤ（ｉ）に付与する。
【００７３】
第３にスケジュールファイル管理部４２の制御の下、表示画面処理部４３は、スケジュール管理用画面ＧＵＩ２の表示を更新する。スケジュール管理プログラムＳＰ１は、第ｉコメントデータＣＭＤ（ｉ）の値を読むことにより、第ｉサムネイル画像データＳＮＤ（ｉ）及び第ｉ撮影日時データＳＤＤ（ｉ）とともに、第ｋイベントデータＩＶＤ（ｋ）と同一の文字列「キャンプ」を第ｉ表示範囲ＰＡＬ（ｉ）に表示することができる（図１３（Ｃ））。以上の手順を経て、イベント名付与処理が終了する。
【００７４】
他のサムネイル画像ファイル、例えば、第（ｉ−１）撮影日時データＳＤＤ（ｉ−１）を含む第（ｉ−１）サムネイル画像ファイルＳＮＦ（ｉ−１）にイベント名付与処理を施すことにより、第（ｉ−１）サムネイルデータＳＮＤ（ｉ−１）及び第（ｉ−１）撮影日時データＳＤＤ（ｉ−１）とともに、第（ｋ−１）イベントデータＩＶＤ（ｋ−１）と同一の文字列「キャンプ」を第（ｉ−１）表示範囲ＰＡＬ（ｉ−１）に表示することができる。
【００７５】
本発明の画像管理プログラムＡ１及び画像管理方法は、スケジュール管理を行うスケジュール管理プログラムＳＰ１が扱うスケジュールが行われる日時と画像データの閲覧を行う画像閲覧プログラムＧＰ１が扱う撮影日時とを関連付け、画像閲覧や画像管理を容易にするため、ユーザに過去の出来事の記憶を鮮明に想起させるような画像の閲覧を行うことができる。また、イベント名付与処理により、同一のイベントデータをそれぞれのプログラムに個別に登録する手間を省くことが可能になり、画像閲覧プログラムＧＰ１及びスケジュール管理プログラムＳＰ１の利便性が向上する。
【００７６】
なお、本発明は、第２実施形態のみならず、前述した第１実施形態との併用も可能である。
【図面の簡単な説明】
【００７７】
【図１】本発明の第１の画像管理用プログラムがインストールされたＰＣのブロック図である。
【図２】画像閲覧プログラム、スケジュール管理プログラム及び本発明の第１の画像管理プログラムの概要を表す機能ブロック図である。
【図３】画像閲覧プログラムによってモニタに表示される画像閲覧用画面の概要を示す説明図である。
【図４】スケジュール管理プログラムによってモニタに表示されるスケジュール管理用画面の概要を示す説明図である。
【図５】撮影画像フォルダの構成の概要を示す説明図である。
【図６】スケジュールフォルダの構成の概要を示す説明図である。
【図７】連携処理のフローチャートの概要を示す説明図である。
【図８】再選択処理のフローチャートの概要を示す説明図である。
【図９】（Ａ）は、再選択処理が実行される前の第ｖ表示範囲の表示状態の概要を示す説明図である。（Ｂ）は、再選択処理によって、抽出された撮影画像データの一覧がモニタに表示される様子を示す説明図である。（Ｃ）は、再選択処理が実行された後の第ｖ表示範囲の表示状態の概要を示す説明図である。
【図１０】関連付け処理のフローチャートの概要を示す説明図である。
【図１１】関連付け処理が実行された後のスケジュール管理用画面に表示される概要を示す説明図である。
【図１２】イベント名付与処理のフローチャートの概要を示す説明図である。
【図１３】（Ａ）は、イベント名付与処理前のスケジュール管理用画面の表示状態の概要を示す説明図である。（Ｂ）は、イベント名付与処理前の画像閲覧用画面の表示状態の概要を示す説明図である。（Ｃ）は、イベント名付与処理後のスケジュール管理用画面の表示状態の概要を示す説明図である。
【符号の説明】
【００７８】
２    ＰＣ
３    ＣＰＵ
４    ＨＤＤ
１４    操作部
１５    表示処理回路
１６    モニタ
３１    画像取込処理部
３２    撮影画像ファイル管理部
３３    表示画面処理部
４１    データ入力処理部
４２    スケジュールファイル管理部
４３    表示画面処理部
５１    第１データ通信部
５２    第１検索処理部
５３    第１検出部
６１    第２データ通信部
６２    第２検索処理部
６３    第２検出部
ＤＢ１  スケジュールデータベース
ＤＢ２  撮影画像データベース
ＳＰ１  スケジュール管理プログラム
ＧＰ１  画像閲覧プログラム
ＧＵＩ１  画像閲覧用画面
ＧＵＩ２  スケジュール管理用画面
Ａ１    画像管理プログラム
Ｂ１    第１プラグイン
Ｂ２    第２プラグイン
ＳＦＬ１  撮影画像フォルダ
ＳＧＦ  撮影画像ファイル
ＳＧＤ  撮影画像データ
ＳＮＤ  サムネイル画像データ
ＳＤＤ  撮影日時データ
ＣＭＤ  コメントデータ
ＬＫＤ  リンクデータ
ＤＦＬ１  スケジュールフォルダ
ＳＤＦ  スケジュールファイル
ＩＶＤ  イベントデータ
ＩＤＤ  イベント日時データ
ＣＧＤ  写画像データ
ＣＳＤ  写サムネイルデータ
ＬＰＤ  リンクパスデータ
【図１】
2008033405.tif 000003
【図２】
2008033405.tif 000004
【図３】
2008033405.tif 000005
【図４】
2008033405.tif 000006
【図５】
2008033405.tif 000007
【図６】
2008033405.tif 000008
【図７】
2008033405.tif 000009
【図８】
2008033405.tif 000010
【図９】
2008033405.tif 000011
【図１０】
2008033405.tif 000012
【図１１】
2008033405.tif 000013
【図１２】
2008033405.tif 000014
【図１３】
2008033405.tif 000015